(57)【要約】      （修正有）【課題】人物像等を表示して趣向性を高めることによって教育効果、宣伝広告効果等を奏する地図の提供。【解決手段】歴史上の人物、歌手や俳優等の芸能人、スポーツ選手、活動家等の有名人、学校の生徒等、会社の社員等、スポーツチームの選手等の構成員の人物像ａを表示してなる地図。また、その人物像ａを当該人物に関連のある場所の近傍に表示した地図。【選択図】図１
0003136036.tif 000002
【実用新案登録請求の範囲】
【請求項１】
歴史上の人物の人物像（ａ）を表示してなることを特徴とする地図。
【請求項２】
歌手や俳優等の芸能人、スポーツ選手、活動家等の有名人の人物像（ａ）を表示してなることを特徴とする地図。
【請求項３】
学校の生徒等の構成員の人物像（ａ）を表示してなることを特徴とする地図。
【請求項４】
会社の社員等の構成員の人物像（ａ）を表示してなることを特徴とする地図。
【請求項５】
スポーツチームの選手等の構成員の人物像（ａ）を表示してなることを特徴とする地図。
【請求項６】
上記人物像（ａ）を、当該人物に関連のある場所の近傍に表示してなることを特徴とする請求項１，２，３，４または５記載の地図。
【請求項７】
取扱商品や取扱サービスの説明等の宣伝広告情報を表示してなることを特徴とする請求項４記載の地図。
【請求項８】
会社の社名や社章、社内組織等の会社情報を表示してなることを特徴とする請求項４記載の地図。
【請求項９】
校章、生徒数、行事予定等の学校情報を表示してなることを特徴とする請求項３記載の地図。
【請求項１０】
歴史的情報を表示してなることを特徴とする請求項１，２，３，４，５，６，７，８または９記載の地図。
【請求項１１】
地理的情報を表示してなることを特徴とする請求項１，２，３，４，５，６，７，８，９または１０記載の地図。
【請求項１２】
文化的情報を表示してなることを特徴とする請求項１，２，３，４，５，６，７，８，９，１０または１１記載の地図。
【考案の詳細な説明】
【技術分野】
【０００１】
本考案は、人物像等を表示した地図に関する。
【背景技術】
【０００２】
従来より、文字，図形，記号，色彩等により各種の情報を表示することによって、様々な特徴や機能を持たせた地図が知られている。
【０００３】
たとえば、特許文献１には、国家名及び首都名を英語とその他の言語とで並べて表示することで英語学習効果を向上させた世界地図が開示されている。
【特許文献１】実用新案登録第３１２０３７２号公報
【考案の開示】
【考案が解決しようとする課題】
【０００４】
しかし、人物像等を表示して趣向性を高めることによって看者に関心を持たせ、教育効果、宣伝広告効果等を奏するようにした地図はこれまで存在しなかった。
【０００５】
そこで、本考案は、人物像等を表示することにより趣向性を高めた地図の提供を課題とする。
【課題を解決するための手段】
【０００６】
請求項１記載の本考案は、歴史上の人物の人物像ａを表示してなる地図である。
【０００７】
請求項２記載の本考案は、歌手や俳優等の芸能人、スポーツ選手、活動家等の有名人の人物像ａを表示してなる地図である。
【０００８】
請求項３記載の本考案は、学校の生徒等の構成員の人物像ａを表示してなる地図である。
【０００９】
請求項４記載の本考案は、会社の社員等の構成員の人物像ａを表示してなる地図である。
【００１０】
請求項５記載の本考案は、スポーツチームの選手等の構成員の人物像ａを表示してなる地図である。
【００１１】
請求項６記載の本考案は、上記人物像ａを、当該人物に関連のある場所の近傍に表示した請求項１，２，３，４または５記載の地図である。
【００１２】
請求項７記載の本考案は、取扱商品や取扱サービスの説明等の宣伝広告情報を表示した請求項４記載の地図である。
【００１３】
請求項８記載の本考案は、会社の社名や社章、社内組織等の会社情報を表示した請求項４記載の地図である。
【００１４】
請求項９記載の本考案は、校章、生徒数、行事予定等の学校情報を表示した請求項３記載の地図である。
【００１５】
請求項１０記載の本考案は、歴史的情報を表示した請求項１，２，３，４，５，６，７，８または９記載の地図である。
【００１６】
請求項１１記載の本考案は、地理的情報を表示した請求項１，２，３，４，５，６，７，８，９または１０記載の地図である。
【００１７】
請求項１２記載の本考案は、文化的情報を表示した請求項１，２，３，４，５，６，７，８，９，１０または１１記載の地図である。
【考案の効果】
【００１８】
本考案に係る地図は、人物像等を表示して趣向性を高めることによって看者に関心を持たせ、高い教育効果、宣伝広告効果等を奏するものである。
【考案を実施するための最良の形態】
【００１９】
以下、本考案を実施例により説明するが、本考案はこれに限られない。
【実施例１】
【００２０】
まず本考案の実施例１に係る世界地図Ａについて詳しく説明する（図１）。
【００２１】
この世界地図Ａは、横長方形のシート１の外縁の国旗表示領域２に世界各国の国旗を表示し、その国旗表示領域２の内側の縦横比約１：２の横長方形の地図表示領域３に、世界各国の位置を示した地図を表示するとともに、その地図表示領域３の下側中央に広告表示領域４を設け、さらにその広告表示領域４の左右両側にカレンダー表示領域５を設けている。
【００２２】
上記地図表示領域３の地図上には、各国の国名がそれぞれ該当する国家領域内に表示され、また、主要都市名が該当する都市の近傍に表示されている（図示しない。）。
【００２３】
また、通常の地図には主要な都市しか表示されていないが、松山や道後温泉などローカルな都市名などの地名を表示することも可能である。これにより、当該世界地図Ａの配布を受ける者が親しみやすいものとすることができる。
【００２４】
この地図上には、歴史的情報として、シルクロード６、咸臨丸の航路７、コロンブスの航路８等の歴史的事実が表示されている。その他各種の歴史的情報を表示することも可能である。
地図表示領域３内に設けられた情報表示領域９には、地理的情報として、世界の主な山の高さ、主な河川の長さ、面積の広い国、面積の狭い国、面積の広い島、人口の多い国、人口の少ない国、世界の大都市、原油、鉄鉱石、金、銅、米、小麦等の生産量、ＧＤＰ等がランキング形式で表示されている。
この情報表示領域９には、ほかにも、たとえば文化的情報として、各国の言語や宗教、青年海外協力隊派遣国、ＰＫＯ派遣国、救急消防隊派遣国、文民警察派遣国、自衛隊緊急援助活動地、夏期、冬期オリンピック開催地、サッカーワールドカップ優勝国等のの情報を表示することもできる。
これらの情報は、適宜のマークを地図上の該当する場所に表示することによって、たとえば、各オリンピック開催地にオリンピックの聖火のマークを表示することによっても表示できる。
【００２５】
上記地図表示領域３の地図中には、さらに、人物等の絵柄（似顔絵等）や写真（以下、「人物像」という。）ａを表示する。たとえば、マゼランやコロンブスの航路を表示した場合には、その航路の近傍に舟に乗ったマゼランやコロンブスの人物像ａを表示すると趣向性が高いものとなり、歴史に親しみやすくなる。
また、歴史上の人物のほか、歌手や俳優等の芸能人、スポーツ選手、活動家等の有名人の人物像ａを表示してもよい。その人物像ａは、その人物に関連のある場所の近傍に表示することによって、その場所との関連づけをするのが好ましい。
さらには、学校に掲示する地図には、人物像ａとして、学校のクラスの生徒や先生等の構成員全員を表示するとか、会社が販売用に配布するものには、その会社の社員等の構成員の人物像ａを表示するようなことも可能である。
【００２６】
上記広告表示領域４には、宣伝広告情報、たとえば取扱商品、取扱サービス、店舗等の情報を表示することができる。
また、たとえば、”同じ国旗が２組あります。それらの国はどこでしょう？”等のように、上記各種情報に関連するクイズを表示することもできる。
【００２７】
１０は地図表示領域３内に表示した”世界が見える世界地図”のタイトルである。
【００２８】
上記のような様々な情報を表示した世界地図Ａは、特に児童や生徒の関心を世界に向けるのに適しているもので、しかも上記の歴史的情報や地理的情報を表示した場合は歴史や地理の勉強に役立つ教育効果の高いものとなる。人物像ａを表示した場合には、さらに親しみやすく趣向性の高いものとなる。
したがって、この世界地図Ａを、学校・塾・予備校・幼稚園・保育園等の教育事業者（以下、「学校等」という。）の施設において、壁面等に掲示すれば、繰り返し児童・生徒の目に触れることになり、高い教育効果を発揮する。
【００２９】
上記国旗表示領域２には、国旗だけでなく学校等の紋章を入れ、上記情報表示領域９には生徒数等を表示し、上記カレンダー表示領域５に学校等の行事予定等を表示することも好ましい。このように紋章、生徒数、行事予定等の学校情報を表示することで、その学校等のオリジナルのものとすることができ、その関係者にとって世界地図Ａがより親しみやすいものとなり、教育効果をさらに高めることができる。
【００３０】
上記世界地図Ａは、たとえば、学校等関係者に対しては、以下のように配布するのが好ましい。
自校の周年事業の広報ツールとして利用し関係者に配布する。 
入学案内など資料請求の際、パンフレットに添付して配布する。 
他校との差別化、付加価値として役立つ広報ツールとして作成し一般に配布する。 
オープンキャンパス・学校説明会等において、参加児童・生徒、引率教諭、保護者へ配布する。 
幼稚園、入園説明会において保護者に配布する。 
高校、予備校等において入試説明会時に配布する。 
自校の学生・職員へ複数配布し、その友人、知人、後輩に配布してもらう。
自校に出入りする関係業者に配布の協力をしてもらう。 
【００３１】
上記世界地図Ａは、会社の宣伝広告手段にも適するものである。
たとえば、広告表示領域４に、宣伝広告情報として、取扱商品や取扱サービスの説明、イラスト、写真等の情報を表示し、また、地図表示領域３内に社員の人物像等の社員情報（会社情報）を表示して、これを顧客等に配布することにより、宣伝広告手段とすることができる。
その他、会社概要、会社からのメッセージやアピール等の会社情報をシート１の任意の箇所に表示して、広報手段とすることもできる。
この場合、上記国旗表示領域２には会社の社名や社章、上記情報表示領域９には社内組織や社員数等、上記カレンダー表示領域５には会社の行事予定を、会社情報として表示することができる。これによって会社の紹介等を効果的に行うことができる。
なお、上記の各種情報の表示場所は適宜変更可能である。
【００３２】
すなわち、この世界地図Ａは、各種店舗、金融機関、旅行業者、美容業者、エステ業者、不動産業者、ホテル、レストラン、運輸業者 、歌手、俳優その他の事業者、スポーツチーム、ボランティア団体、（以下、「会社等」という。）にとっては、顧客に配布する販促品・記念品として活用が可能である。
チラシなどの販促手段と異なり、世界地図は汎用的なものであるから、壁面等に掲示され、捨てられることなく長期間繰り返し目に触れるので効果的な宣伝広告手段あるいは広報手段となる。
この世界地図Ａを、配布先で長期間掲示してもらうことで、会社情報を顧客等に浸透させることができる。
したがって、新聞、チラシなどすぐに捨てられてしまう一過性のマスメディア広告や販促ツールと異なり、掲示による常設効果と高い認知度が期待できる、費用対効果の高い宣伝広告手段となる。
したがって、営業訪問時の手みやげ、来店者へのインセンティブとしても好ましい。
また、スポーツチームのサポーターに対するプレミア品、あるいは歌手のファンに対するプレミア品としても好ましい。
【００３３】
会社情報を表示した世界地図Ａは、たとえば以下のように配布するのが好ましい。
自社の周年事業等アニバーサリー事業の販促ツールとして配布する。 
新製品・新サービスの販促ツールとして配布する。
会社案内など資料請求の際、パンフレットに添付して配布する。 
他社との差別化、付加価値向上に役立つ販促ツールとして作成し配布する。  顧客訪問時の営業用販促ツールとして作成し配布する。 
自社内で配布し社員の意識向上を図る。 
ボランティア団体等の活動のＰＲツールとして作成し配布する。
【００３４】
なお、上記地図表示領域３には、北を上側にして表示する、日本をはじめ北半球の各国で通常用いられる世界地図に代え、オーストラリア等南半球で用いられる南北を逆転した世界地図を表示することとしてもよい。
また、その地図表示領域３には、世界地図でなく日本地図や特定の都道府県の地図などを表示することも可能である。
【実施例２】
【００３５】
本考案の実施例２に係る世界地図Ｂについては、実施例１の世界地図Ａと同一の箇所には同一の符号を付して説明を省略し、異なる点についてのみ説明する（図２）。
【００３６】
この世界地図Ｂは、”世界と日本の偉人達”のタイトル１０を地図表示領域３内に設け、複数の偉人の人物像ａを、地図上の、それぞれの人物が関連する地の近傍に表示したものである。
【００３７】
たとえば、イギリスの近傍にシェークスピア、ニュートン、ダーウィンらの人物像ａを表示し、日本の近傍に聖徳太子、夏目漱石、坂本龍馬らの人物像ａを表示している。
それぞれの人物像ａの近傍には、その人物の名前、生没年、経歴等の人物情報（図示しない。）を表示するのが好ましい。
【００３８】
この世界地図Ｂは、偉人の人物像ａを表示した趣向性の高いもので、しかも、その人物像ａをその人物が関連する地に表示してあるから、掲示されたこの世界地図Ｂが繰り返し目に入る児童・生徒にとって、学習効果が高いものである。
【実施例３】
【００３９】
本考案の実施例３に係る世界地図Ｃについては、実施例１の世界地図Ａと同一の箇所には同一の符号を付して説明を省略し、異なる点についてのみ説明する（図３）。
【００４０】
この世界地図Ｃは、サッカーチームの広報目的のもので、”２００９年サッカー世界地図”のタイトル１０を地図表示領域３内に設け、地図上に、サッカーをする人物の人物像ａおよびサッカーボールの絵柄１１を漫画風に表示したものである。
この世界地図Ｃには、サッカーに関する各種の情報として、たとえばワールドカップ開催地に該当する場所に特定のマークを表示しておくとか、開催地のリストを表形式で表示するのが好ましい。
１２は、人物を模したマークに世界各国のサッカー代表チームのユニフォームの絵柄を表示したものである。
【００４１】
この世界地図Ｃは、サッカー好きの児童の興味をひいて、世界に目を向けさせることができるもので、サッカーチームの広報手段、あるいはサッカー好きの児童・生徒をターゲットとする会社の宣伝広告手段として好ましい。
【実施例４】
【００４２】
本考案の実施例４に係る世界地図Ｄは、野球チームの広報目的のもので、実施例１の世界地図Ａと同一の箇所には同一の符号を付して説明を省略し、異なる点についてのみ説明する（図４）。
【００４３】
この世界地図Ｄは、バットの形をなす図形内に野球チーム名である”東京＃＄％＆！パイレーツ”の文字を表示したタイトル１３を地図表示領域３内に設け、また、同地図表示領域３の下部に、チーム所属の選手の人物像ａを表示している。
また、広告表示領域４には、チームの選手の集合写真を表示している。
【００４４】
これは、当該チームのファンに配布するプレミア品として好ましいものである。
【実施例５】
【００４５】
本考案の実施例５に係る世界地図Ｅは、会社の宣伝広告目的のもので、実施例１の世界地図Ａと同一の箇所には同一の符号を付して説明を省略し、異なる点についてのみ説明する（図５）。
【００４６】
この世界地図Ｅは、当該会社の社員等の人物像ａを地図上に表示したものである。その人物像ａは地図内において、それぞれの人物の出身地の近傍に表示するとか、それぞれの人物の業務担当地域の近傍に表示するなどすることができる。また、情報表示領域９には、各人物のプロフィールやメッセージ等、あるいは、会社情報、会社で扱う商品情報・サービス情報等を表示してもよい。
【００４７】
この世界地図Ｅを顧客に配布することで、社員に親しみをもってもらうことを通じ、効果的な宣伝効果を得ることができる。
【実施例６】
【００４８】
本考案の実施例４に係る世界地図Ｆは、実施例５のものと同じく、会社の宣伝広告目的のもので、実施例１の世界地図Ａと同一の箇所には同一の符号を付して説明を省略し、異なる点についてのみ説明する（図６）。
【００４９】
この世界地図Ｆは、地図内に、”○○○社３０年のあゆみ”のタイトル１４を表示し、社員の人物像ａを表示している。
情報表示領域９には、会社の歴史や事業の流れ等の会社情報を年を追って表示している。
【００５０】
この世界地図Ｆを顧客に配布することで、会社に親しみをもってもらうことを通じ、効果的な宣伝効果を得ることができる。
【図面の簡単な説明】
【００５１】
【図１】本考案の実施例１に係る世界地図の平面図である。
【図２】本考案の実施例２に係る世界地図の平面図である。
【図３】本考案の実施例３に係る世界地図の平面図である。
【図４】本考案の実施例４に係る世界地図の平面図である。
【図５】本考案の実施例５に係る世界地図の平面図である。
【図６】本考案の実施例６に係る世界地図の平面図である。
【符号の説明】
【００５２】
Ａ〜Ｆ 世界地図
ａ 人物像
１ シート
２ 国旗表示領域
３ 地図表示領域
４ 広告表示領域
５ カレンダー表示領域
６ シルクロード
７ 咸臨丸の航路
８ コロンブスの航路
９ 情報表示領域
１０，１３ タイトル
１１ 絵柄
１２ 絵柄
【図１】
0003136036.tif 000003
【図２】
0003136036.tif 000004
【図３】
0003136036.tif 000005
【図４】
0003136036.tif 000006
【図５】
0003136036.tif 000007
【図６】
0003136036.tif 000008
【手続補正書】
【提出日】平成19年7月19日(2007.7.19)
【手続補正１】
【補正対象書類名】実用新案登録請求の範囲
【補正対象項目名】全文
【補正方法】変更
【補正の内容】
【実用新案登録請求の範囲】
【請求項１】
シート（１）の中央に地図表示領域（３）を設け、その地図表示領域（３）内に地図を表示するとともに、歴史上の人物の人物像（ａ）を、その地図中の当該人物の関連地を示す箇所の近傍に表示してなることを特徴とする地図。
【請求項２】
シート（１）の中央に地図表示領域（３）を設け、その地図表示領域（３）内に地図を表示するとともに、歌手や俳優等の芸能人、スポーツ選手、活動家等の有名人の人物像（ａ）を、その地図中の当該人物の関連地を示す箇所の近傍に表示してなることを特徴とする地図。
【請求項３】
シート（１）の中央に地図表示領域（３）を設け、その地図表示領域（３）内に地図を表示するとともに、学校の生徒等の構成員の人物像（ａ）を、その地図中の当該人物の関連地を示す箇所の近傍に表示してなることを特徴とする地図。
【請求項４】
シート（１）の中央に地図表示領域（３）を設け、その地図表示領域（３）内に地図を表示するとともに、会社の社員等の構成員の人物像（ａ）を、その地図中の当該人物の関連地を示す箇所の近傍に表示してなることを特徴とする地図。
【請求項５】
シート（１）の中央に地図表示領域（３）を設け、その地図表示領域（３）内に地図を表示するとともに、スポーツチームの選手等の構成員の人物像（ａ）を、その地図中の当該人物の関連地を示す箇所の近傍に表示してなることを特徴とする地図。
【請求項６】
上記シート（１）が、その外縁の国旗表示領域（２）の内側に上記地図表示領域（３）と広告表示領域（４）とを設け、その広告表示領域（４）に取扱商品や取扱サービスの説明等の宣伝広告情報を表示してなることを特徴とする請求項１，２，３，４または５記載の地図。
【請求項７】
会社の社名や社章、社内組織等の会社情報を表示してなることを特徴とする請求項４記載の地図。
【請求項８】
校章、生徒数、行事予定等の学校情報を表示してなることを特徴とする請求項３記載の地図。
【請求項９】
歴史的情報を表示してなることを特徴とする請求項１，２，３，４，５，６，７または８記載の地図。
【請求項１０】
地理的情報を表示してなることを特徴とする請求項１，２，３，４，５，６，７，８または９記載の地図。
【請求項１１】
文化的情報を表示してなることを特徴とする請求項１，２，３，４，５，６，７，８，９または１０記載の地図。
【手続補正２】
【補正対象書類名】明細書
【補正対象項目名】全文
【補正方法】変更
【補正の内容】
【考案の詳細な説明】
【技術分野】
【０００１】
本考案は、人物像等を表示した地図に関する。
【背景技術】
【０００２】
従来より、文字，図形，記号，色彩等により各種の情報を表示することによって、様々な特徴や機能を持たせた地図が知られている。
【０００３】
たとえば、特許文献１には、国家名及び首都名を英語とその他の言語とで並べて表示することで英語学習効果を向上させた世界地図が開示されている。
【特許文献１】実用新案登録第３１２０３７２号公報
【考案の開示】
【考案が解決しようとする課題】
【０００４】
しかし、人物像等を表示して趣向性を高めることによって看者に関心を持たせ、教育効果、宣伝広告効果等を奏するようにした地図はこれまで存在しなかった。
【０００５】
そこで、本考案は、人物像等を表示することにより趣向性を高めた地図の提供を課題とする。
【課題を解決するための手段】
【０００６】
請求項１記載の本考案は、シート（１）の中央に地図表示領域（３）を設け、その地図表示領域（３）内に地図を表示するとともに、歴史上の人物の人物像（ａ）を、その地図中の当該人物の関連地を示す箇所の近傍に表示してなる地図である。
【０００７】
請求項２記載の本考案は、シート（１）の中央に地図表示領域（３）を設け、その地図表示領域（３）内に地図を表示するとともに、歌手や俳優等の芸能人、スポーツ選手、活動家等の有名人の人物像（ａ）を、その地図中の当該人物の関連地を示す箇所の近傍に表示してなる地図である。
【０００８】
請求項３記載の本考案は、シート（１）の中央に地図表示領域（３）を設け、その地図表示領域（３）内に地図を表示するとともに、学校の生徒等の構成員の人物像（ａ）を、その地図中の当該人物の関連地を示す箇所の近傍に表示してなる地図である。
【０００９】
請求項４記載の本考案は、シート（１）の中央に地図表示領域（３）を設け、その地図表示領域（３）内に地図を表示するとともに、会社の社員等の構成員の人物像（ａ）を、その地図中の当該人物の関連地を示す箇所の近傍に表示してなる地図である。
【００１０】
請求項５記載の本考案は、シート（１）の中央に地図表示領域（３）を設け、その地図表示領域（３）内に地図を表示するとともに、スポーツチームの選手等の構成員の人物像（ａ）を、その地図中の当該人物の関連地を示す箇所の近傍に表示してなる地図である。
【００１１】
請求項６記載の本考案は、上記シート（１）が、その外縁の国旗表示領域（２）の内側に上記地図表示領域（３）と広告表示領域（４）とを設け、その広告表示領域（４）に取扱商品や取扱サービスの説明等の宣伝広告情報を表示してなる請求項１，２，３，４または５記載の地図である。
【００１２】
請求項７記載の本考案は、会社の社名や社章、社内組織等の会社情報を表示してなる請求項４記載の地図である。
【００１３】
請求項８記載の本考案は、校章、生徒数、行事予定等の学校情報を表示してなる請求項３記載の地図である。
【００１４】
請求項９記載の本考案は、歴史的情報を表示してなる請求項１，２，３，４，５，６，７または８記載の地図である。
【００１５】
請求項１０記載の本考案は、地理的情報を表示してなる請求項１，２，３，４，５，６，７，８または９記載の地図である。
【００１６】
請求項１１記載の本考案は、文化的情報を表示してなる請求項１，２，３，４，５，６，７，８，９または１０記載の地図である。
【考案の効果】
【００１７】
本考案に係る地図は、人物像等を表示して趣向性を高めることによって看者に関心を持たせ、高い教育効果、宣伝広告効果等を奏するものである。
【考案を実施するための最良の形態】
【００１８】
以下、本考案を実施例により説明するが、本考案はこれに限られない。
【実施例１】
【００１９】
まず本考案の実施例１に係る世界地図Ａについて詳しく説明する（図１）。
【００２０】
この世界地図Ａは、横長方形のシート１の外縁の国旗表示領域２に世界各国の国旗を表示し、その国旗表示領域２の内側の縦横比約１：２の横長方形の地図表示領域３に、世界各国の位置を示した地図を表示するとともに、その地図表示領域３の下側中央に広告表示領域４を設け、さらにその広告表示領域４の左右両側にカレンダー表示領域５を設けている。
【００２１】
上記地図表示領域３の地図上には、各国の国名がそれぞれ該当する国家領域内に表示され、また、主要都市名が該当する都市の近傍に表示されている（図示しない。）。
【００２２】
また、通常の地図には主要な都市しか表示されていないが、松山や道後温泉などローカルな都市名などの地名を表示することも可能である。これにより、当該世界地図Ａの配布を受ける者が親しみやすいものとすることができる。
【００２３】
この地図上には、歴史的情報として、シルクロード６、咸臨丸の航路７、コロンブスの航路８等の歴史的事実が表示されている。その他各種の歴史的情報を表示することも可能である。
地図表示領域３内に設けられた情報表示領域９には、地理的情報として、世界の主な山の高さ、主な河川の長さ、面積の広い国、面積の狭い国、面積の広い島、人口の多い国、人口の少ない国、世界の大都市、原油、鉄鉱石、金、銅、米、小麦等の生産量、ＧＤＰ等がランキング形式で表示されている。
この情報表示領域９には、ほかにも、たとえば文化的情報として、各国の言語や宗教、青年海外協力隊派遣国、ＰＫＯ派遣国、救急消防隊派遣国、文民警察派遣国、自衛隊緊急援助活動地、夏期、冬期オリンピック開催地、サッカーワールドカップ優勝国等のの情報を表示することもできる。
これらの情報は、適宜のマークを地図上の該当する場所に表示することによって、たとえば、各オリンピック開催地にオリンピックの聖火のマークを表示することによっても表示できる。
【００２４】
上記地図表示領域３の地図中には、さらに、人物等の絵柄（似顔絵等）や写真（以下、「人物像」という。）ａを表示する。たとえば、マゼランやコロンブスの航路を表示した場合には、その航路の近傍に舟に乗ったマゼランやコロンブスの人物像ａを表示すると趣向性が高いものとなり、歴史に親しみやすくなる。
また、歴史上の人物のほか、歌手や俳優等の芸能人、スポーツ選手、活動家等の有名人の人物像ａを表示してもよい。その人物像ａは、その人物に関連のある場所の近傍に表示することによって、その場所との関連づけをするのが好ましい。
さらには、学校に掲示する地図には、人物像ａとして、学校のクラスの生徒や先生等の構成員全員を表示するとか、会社が販売用に配布するものには、その会社の社員等の構成員の人物像ａを表示するようなことも可能である。
【００２５】
上記広告表示領域４には、宣伝広告情報、たとえば取扱商品、取扱サービス、店舗等の情報を表示することができる。
また、たとえば、”同じ国旗が２組あります。それらの国はどこでしょう？”等のように、上記各種情報に関連するクイズを表示することもできる。
【００２６】
１０は地図表示領域３内に表示した”世界が見える世界地図”のタイトルである。
【００２７】
上記のような様々な情報を表示した世界地図Ａは、特に児童や生徒の関心を世界に向けるのに適しているもので、しかも上記の歴史的情報や地理的情報を表示した場合は歴史や地理の勉強に役立つ教育効果の高いものとなる。人物像ａを表示した場合には、さらに親しみやすく趣向性の高いものとなる。
したがって、この世界地図Ａを、学校・塾・予備校・幼稚園・保育園等の教育事業者（以下、「学校等」という。）の施設において、壁面等に掲示すれば、繰り返し児童・生徒
の目に触れることになり、高い教育効果を発揮する。
【００２８】
上記国旗表示領域２には、国旗だけでなく学校等の紋章を入れ、上記情報表示領域９には生徒数等を表示し、上記カレンダー表示領域５に学校等の行事予定等を表示することも好ましい。このように紋章、生徒数、行事予定等の学校情報を表示することで、その学校等のオリジナルのものとすることができ、その関係者にとって世界地図Ａがより親しみやすいものとなり、教育効果をさらに高めることができる。
【００２９】
上記世界地図Ａは、たとえば、学校等関係者に対しては、以下のように配布するのが好ましい。
自校の周年事業の広報ツールとして利用し関係者に配布する。 
入学案内など資料請求の際、パンフレットに添付して配布する。 
他校との差別化、付加価値として役立つ広報ツールとして作成し一般に配布する。 
オープンキャンパス・学校説明会等において、参加児童・生徒、引率教諭、保護者へ配布する。 
幼稚園、入園説明会において保護者に配布する。 
高校、予備校等において入試説明会時に配布する。 
自校の学生・職員へ複数配布し、その友人、知人、後輩に配布してもらう。
自校に出入りする関係業者に配布の協力をしてもらう。 
【００３０】
上記世界地図Ａは、会社の宣伝広告手段にも適するものである。
たとえば、広告表示領域４に、宣伝広告情報として、取扱商品や取扱サービスの説明、イラスト、写真等の情報を表示し、また、地図表示領域３内に社員の人物像等の社員情報（会社情報）を表示して、これを顧客等に配布することにより、宣伝広告手段とすることができる。
その他、会社概要、会社からのメッセージやアピール等の会社情報をシート１の任意の箇所に表示して、広報手段とすることもできる。
この場合、上記国旗表示領域２には会社の社名や社章、上記情報表示領域９には社内組織や社員数等、上記カレンダー表示領域５には会社の行事予定を、会社情報として表示することができる。これによって会社の紹介等を効果的に行うことができる。
なお、上記の各種情報の表示場所は適宜変更可能である。
【００３１】
すなわち、この世界地図Ａは、各種店舗、金融機関、旅行業者、美容業者、エステ業者、不動産業者、ホテル、レストラン、運輸業者 、歌手、俳優その他の事業者、スポーツ
チーム、ボランティア団体、（以下、「会社等」という。）にとっては、顧客に配布する販促品・記念品として活用が可能である。
チラシなどの販促手段と異なり、世界地図は汎用的なものであるから、壁面等に掲示され、捨てられることなく長期間繰り返し目に触れるので効果的な宣伝広告手段あるいは広報手段となる。
この世界地図Ａを、配布先で長期間掲示してもらうことで、会社情報を顧客等に浸透させることができる。
したがって、新聞、チラシなどすぐに捨てられてしまう一過性のマスメディア広告や販促ツールと異なり、掲示による常設効果と高い認知度が期待できる、費用対効果の高い宣伝広告手段となる。
したがって、営業訪問時の手みやげ、来店者へのインセンティブとしても好ましい。  また、スポーツチームのサポーターに対するプレミア品、あるいは歌手のファンに対するプレミア品としても好ましい。
【００３２】
会社情報を表示した世界地図Ａは、たとえば以下のように配布するのが好ましい。
自社の周年事業等アニバーサリー事業の販促ツールとして配布する。 
新製品・新サービスの販促ツールとして配布する。
会社案内など資料請求の際、パンフレットに添付して配布する。 
他社との差別化、付加価値向上に役立つ販促ツールとして作成し配布する。
顧客訪問時の営業用販促ツールとして作成し配布する。 
自社内で配布し社員の意識向上を図る。 
ボランティア団体等の活動のＰＲツールとして作成し配布する。
【００３３】
なお、上記地図表示領域３には、北を上側にして表示する、日本をはじめ北半球の各国で通常用いられる世界地図に代え、オーストラリア等南半球で用いられる南北を逆転した世界地図を表示することとしてもよい。
また、その地図表示領域３には、世界地図でなく日本地図や特定の都道府県の地図などを表示することも可能である。
【実施例２】
【００３４】
本考案の実施例２に係る世界地図Ｂについては、実施例１の世界地図Ａと同一の箇所には同一の符号を付して説明を省略し、異なる点についてのみ説明する（図２）。
【００３５】
この世界地図Ｂは、”世界と日本の偉人達”のタイトル１０を地図表示領域３内に設け、複数の偉人の人物像ａを、地図上の、それぞれの人物が関連する地の近傍に表示したものである。
【００３６】
たとえば、イギリスの近傍にシェークスピア、ニュートン、ダーウィンらの人物像ａを表示し、日本の近傍に聖徳太子、夏目漱石、坂本龍馬らの人物像ａを表示している。
それぞれの人物像ａの近傍には、その人物の名前、生没年、経歴等の人物情報（図示しない。）を表示するのが好ましい。
【００３７】
この世界地図Ｂは、偉人の人物像ａを表示した趣向性の高いもので、しかも、その人物像ａをその人物が関連する地に表示してあるから、掲示されたこの世界地図Ｂが繰り返し目に入る児童・生徒にとって、学習効果が高いものである。
【実施例３】
【００３８】
本考案の実施例３に係る世界地図Ｃについては、実施例１の世界地図Ａと同一の箇所には同一の符号を付して説明を省略し、異なる点についてのみ説明する（図３）。
【００３９】
この世界地図Ｃは、サッカーチームの広報目的のもので、”２００９年サッカー世界地図”のタイトル１０を地図表示領域３内に設け、地図上に、サッカーをする人物の人物像ａおよびサッカーボールの絵柄１１を漫画風に表示したものである。
この世界地図Ｃには、サッカーに関する各種の情報として、たとえばワールドカップ開催地に該当する場所に特定のマークを表示しておくとか、開催地のリストを表形式で表示するのが好ましい。
１２は、人物を模したマークに世界各国のサッカー代表チームのユニフォームの絵柄を表示したものである。
【００４０】
この世界地図Ｃは、サッカー好きの児童の興味をひいて、世界に目を向けさせることができるもので、サッカーチームの広報手段、あるいはサッカー好きの児童・生徒をターゲットとする会社の宣伝広告手段として好ましい。
【実施例４】
【００４１】
本考案の実施例４に係る世界地図Ｄは、野球チームの広報目的のもので、実施例１の世界地図Ａと同一の箇所には同一の符号を付して説明を省略し、異なる点についてのみ説明する（図４）。
【００４２】
この世界地図Ｄは、バットの形をなす図形内に野球チーム名である”東京＃＄％＆！パイレーツ”の文字を表示したタイトル１３を地図表示領域３内に設け、また、同地図表示領域３の下部に、チーム所属の選手の人物像ａを表示している。
また、広告表示領域４には、チームの選手の集合写真を表示している。
【００４３】
これは、当該チームのファンに配布するプレミア品として好ましいものである。
【実施例５】
【００４４】
本考案の実施例５に係る世界地図Ｅは、会社の宣伝広告目的のもので、実施例１の世界地図Ａと同一の箇所には同一の符号を付して説明を省略し、異なる点についてのみ説明する（図５）。
【００４５】
この世界地図Ｅは、当該会社の社員等の人物像ａを地図上に表示したものである。その人物像ａは地図内において、それぞれの人物の出身地の近傍に表示するとか、それぞれの人物の業務担当地域の近傍に表示するなどすることができる。また、情報表示領域９には、各人物のプロフィールやメッセージ等、あるいは、会社情報、会社で扱う商品情報・サービス情報等を表示してもよい。
【００４６】
この世界地図Ｅを顧客に配布することで、社員に親しみをもってもらうことを通じ、効果的な宣伝効果を得ることができる。
【実施例６】
【００４７】
本考案の実施例４に係る世界地図Ｆは、実施例５のものと同じく、会社の宣伝広告目的のもので、実施例１の世界地図Ａと同一の箇所には同一の符号を付して説明を省略し、異なる点についてのみ説明する（図６）。
【００４８】
この世界地図Ｆは、地図内に、”○○○社３０年のあゆみ”のタイトル１４を表示し、社員の人物像ａを表示している。
情報表示領域９には、会社の歴史や事業の流れ等の会社情報を年を追って表示している。  
【００４９】
この世界地図Ｆを顧客に配布することで、会社に親しみをもってもらうことを通じ、効果的な宣伝効果を得ることができる。
【図面の簡単な説明】
【００５０】
【図１】本考案の実施例１に係る世界地図の平面図である。
【図２】本考案の実施例２に係る世界地図の平面図である。
【図３】本考案の実施例３に係る世界地図の平面図である。
【図４】本考案の実施例４に係る世界地図の平面図である。
【図５】本考案の実施例５に係る世界地図の平面図である。
【図６】本考案の実施例６に係る世界地図の平面図である。
【符号の説明】
【００５１】
Ａ〜Ｆ 世界地図
ａ 人物像
１ シート
２ 国旗表示領域
３ 地図表示領域
４ 広告表示領域
５ カレンダー表示領域
６ シルクロード
７ 咸臨丸の航路
８ コロンブスの航路
９ 情報表示領域
１０，１３ タイトル
１１ 絵柄
１２ 絵柄
【手続補正３】
【補正対象書類名】図面
【補正対象項目名】全図
【補正方法】変更
【補正の内容】
【図１】
0003136036.tif 000009
【図２】
0003136036.tif 000010
【図３】
0003136036.tif 000011
【図４】
0003136036.tif 000012
【図５】
0003136036.tif 000013
【図６】
0003136036.tif 000014